(57)【特許請求の範囲】
【請求項１】
携帯用電子装置に対して引出し及び引込みが行われ、下端の内部が中空であるパイプ状のアンテナを前記携帯用電子装置に連結する連結具において、
前記携帯用電子装置のケースの内部に固定されるブッシングと、
前記ブッシングに摺動されつつ、前記アンテナの引込み時に前記ケースの内部に引き込まれ、前記アンテナの引出し時に上端部が前記ケースの外部に引き出される回動支持部と、
上端が前記アンテナの下端の内部に挿着される係合部材と、
上側は前記係合部材と螺合され、下側は前記回動支持部の上端に回動自在に取設される回動部材とを含み、
前記回動支持部には、
前記回動部材と係合部材との着脱が容易に行われるように、外周面の一方の側に、工具が係合される係合溝が凹設される、アンテナ用連結具。
【請求項２】
前記回動部材と回動支持部とを結合するヒンジピンを備える請求項１に記載のアンテナ用連結具。
【請求項３】
前記係合部材の下端部は雌ネジ状に形成され、前記回動部材の上端部は雄ネジ状に形成される、請求項１に記載のアンテナ用連結具。
【請求項４】
前記係合部材の下端部は雄ネジ状に形成され、前記回動部材の上端部は雌ネジ状に形成される、請求項１に記載のアンテナ用連結具。
【請求項５】
前記係合溝は、前記回動支持部の両側面に対称状に形成される、請求項１に記載のアンテナ用連結具。
【請求項６】
請求項１から５のいずれかに記載のアンテナ用連結具と、前記係合部材の上端に取設されるアンテナとを備える、連結具付きアンテナ組立体。
【請求項７】
前記アンテナは、多段アンテナである、請求項６に記載の連結具付きアンテナ組立体。
【発明の詳細な説明】
【技術分野】
【０００１】
本発明はアンテナ用連結具及びこれを備えるアンテナ組立体に関し、さらに詳しくは、電子装置に用いられ、多段式であり、引出しまたは引込みされるアンテナを電子装置に組み付ける際に一緒に組み付けられる連結具及びこれを備えるアンテナ組立体に関する。
【背景技術】
【０００２】
日常生活を営む中で頻繁に用いられる携帯電話、ＰＭＰ（Ｐｏｒｔａｂｌｅ Ｍｕｌｔｉｍｅｄｉａ Ｐｌａｙｅｒ）などの携帯用端末には、ほとんどの場合、ＤＭＢ（Ｄｉｇｉｔａｌ Ｍｕｌｔｉｍｅｄｉａ Ｂｒｏａｄｃａｓｔｉｎｇ）受信機能が内蔵されており、ユーザーは、この機能を用いて、上述の端末を用いて移動中にテレビまたはラジオを視聴することができる。このとき、良好な放送を受信するために、上述の端末にはアンテナが取り付けられる。
【０００３】
上記の端末に取り付けられるアンテナは、一般に、直径が異なる複数のロッドが多段に形成され、互いに引出し及び引込みされつつ、一方の端は外部に露出されて外部の電波を受信し、他方の端は端末受信部と結合されるブッシング（ｂｕｓｈｉｎｇ）に摺動されて外部の電波を受け渡す役割を果たすようになっている。
【０００４】
しかしながら、上述の端末のアンテナは外部に突出するように構成されて電波が捕捉され易い方向に回動させて使用するようになっており、かようなアンテナは、ユーザーの取り扱いの不注意によってアンテナが破損したり折れたりすることが頻発している。このように破損されたアンテナはＡＳセンターを用いて修理可能であり、修理のためには、端末の全体を分解してアンテナを交替した後、組み立て直す方法が通常のＡＳ方法の一つである。
【０００５】
ところが、上記のように、端末の修理中に、作業者の不注意によって、部品を欠落して組み立てをする場合が頻繁に起こり、この場合、ユーザーはＡＳセンターを再訪問することを余儀なくされるため、手間が取られてしまうという大きな問題点があった。
【０００６】
また、修理中に、接着されている部品を引き剥がす過程で、部品の破損を来たす場合が頻発し、これによって、部品を新たに交替せねばならず、これは、資源の無駄使いにつながるという問題があった。
【発明の概要】
【発明が解決しようとする課題】
【０００７】
本発明は、上述の問題を解消するためになされたものであり、本発明の一実施の形態は、各種の電子装置のアンテナの破損時に、機器全体を分解することなく、破損されたアンテナの部分だけを取り外して新たなアンテナを取り付けることができ、しかも、既存のアンテナ組立体に適用し易いアンテナ用連結具を提供することに関する。
【０００８】
また、電子装置に設けられるアンテナが破損される場合に交換し易くして作業工程を省き、修理に際してミスによる部品のロスを極力抑えることに関する。
【課題を解決するための手段】
【０００９】
本発明の好適な実施形態に係るアンテナ用連結具は、携帯用電子装置に対して引出し及び引込みが行われ、下端の内部が中空であるパイプ状のアンテナを前記携帯用電子装置に連結する連結具において、前記携帯用電子装置のケースの内部に固定されるブッシングと、前記ブッシングに摺動されつつ、前記アンテナの引込み時に前記ケースの内部に引き込まれ、前記アンテナの引出し時に上端部が前記ケースの外部に引き出される回動支持部と、上端が前記アンテナの下端の内部に挿着される係合部材と、上側は前記係合部材と螺合され、下側は前記回動支持部の上端に回動自在に結合される回動部材とを備える。
【００１０】
また、本発明の好適な実施形態に係るアンテナ用連結具は、前記回動部材と回動支持部とを結合するヒンジピンをさらに備える。
【００１１】
さらに、前記アンテナ用連結具において、前記係合部材の下端部は雌ネジ状に形成され、前記回動部材の上端部は雄ネジ状に形成される。
【００１２】
これとは異なり、前記アンテナ用連結具において、前記係合部材の下端部は雄ネジ状に形成され、前記回動部材の上端部は雌ネジ状に形成されてもよい。
【００１３】
本発明の好適な実施形態に係るアンテナ用連結具において、前記回動支持部には、前記回動部材と係合部材との間の着脱が容易に行われるように、外周面の一方の側に、工具が係合される係合溝が凹設される。
【００１４】
ここで、前記係合溝は、前記回動支持部の両側面に対称状に形成される。
【００１５】
本発明の他の好適な実施形態に係る連結具付きアンテナは、前記アンテナ用連結具と、前記係合部材の上端に取設されるアンテナとを備える。
【００１６】
ここで、前記アンテナは、多段アンテナである。
【発明の効果】
【００１７】
本発明に係るアンテナ用連結具及びこれを備えるアンテナ組立体によれば、携帯用端末などの電子装置のアンテナが破損されてアンテナの修理が必要となる場合、携帯用端末を分解してアンテナ組立体の全体を交換することなく、携帯用端末の外部に露出されるアンテナ部分だけを交替することが可能になり、これにより、作業時にかかる時間を短縮して作業の効率を増大させることができ、携帯用端末の分解組立過程が不要になるので、端末の寿命を最大限に延ばすことができるという多大な効果が得られる。
【００１８】
また、回動支持部の上方から、ネジによる脱着が行われるので、前記回動支持部の上端の露出長さを最小限に留めることができ、回動支持部とブッシングとの間の安定した結合を保証することができる他、既存のアンテナ組立体に容易に適用することが可能になる。
【図面の簡単な説明】
【００１９】
【図１】本発明の一実施の形態に係るアンテナ用連結具及びこれを備えるアンテナ組立体を示す斜視図。
【図２】図１のアンテナ用連結具及びこれを備えるアンテナ組立体を示す分解斜視図。
【図３】図１に示すアンテナ用連結具において、係合部材と回動部材との結合が解放された状態を示す斜視図。
【図４】本発明の他の実施形態に係るアンテナ用連結具及びこれを備えるアンテナ組立体を示す分解斜視図。
【発明を実施するための形態】
【００２０】
本発明を十分に理解するために、本発明の好適な実施形態を添付図面に基づき説明する。本発明の実施形態は種々に変形可能であり、本発明の範囲が後述する実施形態に限定されると解釈されてはならない。本実施の形態は、当業界において通常の知識を持った者に本発明をより完全に説明するために提供されるものである。よって、図中の要素の形状などはより明確な説明を強調するために誇張されている場合がある。各図中、同じ部材には同じ参照符号を付していることに留意すべきである。なお、本発明の要旨を余計に曖昧にする虞があると認められる公知機能及び構成についての詳細な説明は省く。
【００２１】
以下、添付図面に基づき、本発明の好適な実施形態を説明することにより、本発明のアンテナ用連結具１０及びアンテナ組立体１を詳述する。
【００２２】
図１は、本発明の一実施の形態に係るアンテナ用連結具１０及びこれを備えるアンテナ組立体１を示す斜視図であり、図２は、図１のアンテナ用連結具１０及びこれを備えるアンテナ組立体１を示す分解斜視図であり、図３は、図１に示すアンテナ用連結具１０において、係合部材３０１と回動部材３０２とが取り外された状態を示す斜視図である。
【００２３】
本発明は、電子装置に取設されて使われるアンテナ用連結具１０及びこれを備えるアンテナ組立体１に関するものであり、ここで、携帯用電子装置は、持ち運び可能なものであり、ノート型パソコン、電子辞書、ＰＤＡなどをはじめとして、通常の携帯用端末などを含む。
【００２４】
また、前記携帯用電子装置のケースＣは、携帯用電子装置の胴体を構成する部分であり、前記ケースＣの一方の側には、視覚的な映像などを表示する液晶ディスプレイ（ＬＣＤ：ｌｉｑｕｉｄ ｃｒｙｓｔａｌ ｄｉｓｐｌａｙ）などの画像部と、情報を入力するキーパッドなどが設けられていてもよい。前記キーパッドは、タッチスクリーンの形で前記画像部と一体に形成されてもよい。
【００２５】
本発明に係るアンテナ組立体１は、前記携帯用電子装置のケースＣの内部に完全に引き込まれ、且つ、アンテナ４００の引出しに際しては、前記回動支持部２００の上端の上部が前記ケースＣの外部に露出されるようになっている。
【００２６】
また、本発明においては、前記ケースＣを基準として前記アンテナ組立体１が引き出されるものであるため、説明の便宜のために、前記ケースＣが形成される側を下側とし、前記アンテナ４００が形成される側を上側として説明を行うこととする。
【００２７】
本発明において、アンテナ組立体１とは、前記アンテナ４００とアンテナ用連結具１０とを備えるものをいう。また、本発明において、前記アンテナ４００は、電波を送受信する部分であって、単一の胴体から構成されてもよいが、より広い範囲の周波数の送受信に適するように、多段アンテナであることが好ましい。
【００２８】
ここで、多段アンテナとは、直径が異なる多数のパイプ状のアンテナが結合されたものをいい、大径のパイプ状のアンテナの内部に、小径の他のアンテナが連設されて、アンテナの引出し時にその長さを延ばすことができる。
【００２９】
以下、前記アンテナ用連結具１０を中心に説明する。
【００３０】
図１及び図２を参照すれば、本発明の第１の実施形態に係るアンテナ用連結具１０は、携帯用端末ケースＣと、外部の信号を受信する受信部と連結されるブッシング１００と、前記ブッシング１００に摺動されつつ、携帯用端末の内部から／に引出し／引込みされる回動支持部２００と、前記回動支持部２００とアンテナ４００とを連結する連結手段３００と、を備える。前記アンテナ４００は、上述したように、直径の異なるパイプが直径順に挿入されて引出し及び引込みが行われる通常の構造のものである。
【００３１】
また、図示はしないが、前記回動支持部２００の内部には、非伝導性のプラスチック材質であるアセタールから構成される円柱状のインシュレーターと、前記インシュレーターの下部の一部に挿入されて共振周波数を高めて受信効率を向上させ、エナメルなどの導電性材質から構成されるローディングコイルと、前記ローディングコイルの下端部に一部が挿入される仕上材とが内蔵される。
【００３２】
さらに、前記ブッシング１００は、前記回動支持部２００が挿入された状態で摺動され、概ね筒状を呈する。そして、前記ブッシング１００の外側面には、携帯用端末と結合されてアンテナの引出し及び引込みを固定的に案内するために、係合孔１０２付き係合部材１０１が一体に形成されるか、あるいは貼着される。
【００３３】
このように、前記ブッシング１００は、前記ケースＣの内部に固定される部分であり、本発明に係るアンテナ用連結具１０及び前記アンテナ４００が、前記ケースＣの内部から／に引出し／引込みされるときに支持する役割を果たす。図１には、前記ケースＣの外部にアンテナ組立体１が引き出された状態が示してあり、引込み時には、前記ブッシングを基準として前記アンテナ用連結具１０及びアンテナ４００が下方に摺動して前記ケースＣの内部に位置することとなる。
【００３４】
一方、前記連結手段３００は、前記アンテナ４００と結合される係合部材３０１と、一方の側は前記係合部材３０１と結合され、他方の側は前記回動支持部２００と結合される回動部材３０２と、前記回動部材３０２と回動支持部２００とを結合するヒンジピン３０３と、を備えてなる。前記係合部材３０１は、外側に封止部材（図示せず）などが設けられており、前記アンテナ４００の一方の端との締まりばめなどによって挿入されるように構成されてもよい。
【００３５】
前記回動部材３０２と回動支持部２００との間の結合は、ヒンジピン３０３が別設されることなく、前記回動部材３０２および回動支持部２００そのものに突起及び溝が形成されて蝶合によって行われてもよいが、安定した結合及び製造の便宜のために、図２に示すように、ヒンジピン３０３によって行われることが好ましい。
【００３６】
また、前記係合部材３０１と回動部材３０２とは螺合されており、これは、前記係合部材３０１の下端の内周面にネジ山が形成されてナットの役割を果たし、前記回動部材３０２の上端の外周面にもネジ山が形成されてボルトの役割を果たすことにより可能である。このような形態が図１から図３に示してある。
【００３７】
そして、上述のように、前記アンテナ４００は、下端の内部が中空であるパイプ状に形成されることが一般的である。本発明においては、このような前記アンテナ４００と前記係合部材３０１との間の結合を容易にし、且つ、前記係合部材３０１と回動部材３０２との間の着脱を保証するために、前記係合部材３０１の上端は前記アンテナ４００の下端の内部に挿入され、下端は前記回動部材３０２と螺合されるようにしている。
【００３８】
すなわち、前記係合部材３０１の上端が前記アンテナ４００の下端に挿入されて内部空間を満たすように結合されることにより、前記アンテナ４００の下端は安定的に支持され、前記連結手段３００及び回動支持部２００との強固な連結が行われる。
【００３９】
パイプ状に形成される前記アンテナ４００そのものにネジ山を形成することは現実的に極めて困難であり、たとえ前記アンテナ４００にネジ山を形成することが可能であるとしても、この場合、アンテナ４００の耐久性の低下、多段アンテナの形成し難さ及びコストアップなどが来たされるため、本発明においては、前記アンテナ４００と回動支持部２００とを連結する連結手段３００、具体的に、前記係合部材３０１と回動部材３０２を形成することにより、製造し易さ、安定した結合及び修理し易さを達成している。
【００４０】
さらに、前記回動支持部２００は、前記アンテナ４００側の部分と蝶合されるものであり、前記携帯用電子装置を基準として前記アンテナ４００がユーザー所望の方向に回動できるように許容するが、このような作用のために、前記回動支持部２００の上端は前記ケースＣの外部に露出される。すなわち、結合されている前記アンテナ４００、係合部材３０１及び回動部材３０２の回動を許容する範囲内においてのみ、前記回動支持部２００の上端の上部が露出されていれば足りる。
【００４１】
加えて、前記回動支持部２００は、前記ブッシング１００の内部において摺動しつつ、前記ブッシング１００に取設されるものであるため、下側部は前記ケースＣの外部に露出されない。特に、前記回動支持部２００が前記ブッシング１００から引き出されすぎる場合には、前記回動支持部２００とブッシング１００との間の連結部分に大きな荷重が働くことがあり、しかも、破損の虞がある。
【００４２】
本発明においては、上記事情に鑑みて、前記回動支持部２００の上方から、すなわち、前記連結手段３００を構成する前記係合部材３０１と回動部材３０２とをネジによって互いに着脱しており、前記回動支持部２００の上端の露出長さを最小限に留めている。なお、この場合、既存のアンテナ組立体に容易に適用することが可能になる。
【００４３】
上述のように、本発明においては、前記係合部材３０１と回動部材３０２とを互いにネジによって着脱しており、本発明に係るアンテナ組立体１における前記アンテナ４００を携帯用電子装置から取り外し易くしている。
【００４４】
すなわち、前記アンテナ４００の破損などによって修理もしくは交替が必要となる場合、前記ケースＣの全体を分解して前記アンテナ組立体１を修理するのではなく、前記係合部材３０１と回動部材３０２との間の螺合を解放するだけで、破損された前記アンテナ４５００の部分だけを容易に交替することができる。
【００４５】
より具体的に、本発明に係るアンテナ用連結具１０において、前記回動支持部２００は、前記アンテナ４００の引出し時に上端部が前記ケースＣの外部に引き出されるものであるため、図３に示すように、前記ケースＣの外部に露出される前記係合部材３０１と回動部材３０２との間の螺合を解放することにより、前記アンテナ４００部分を容易に取り外すことが可能になり、このとき、前記ケースＣの分解に伴う問題点の誘発が防がれるだけではなく、前記回動部材３０２の下側の部品が使用できて修理コストを節減することが可能になる。
【００４６】
一方、前記回動支持部２００は、前記回動部材３０２と係合部材３０１との間の結合が容易に解放されるように、外周面の一方側に、工具５００の係合を容易にする、互いに対称となる係合溝２１１がさらに凹設されてもよい。前記係合部材３０１および回動部材３０２は、手を用いて、あるいは、外部の流動によって容易に緩まないように所定の圧力によって結合されており、別途の工具５００を使用しない場合には取り外され難いようになっていてもよい。このため、工具５００を前記係合溝２１１に係止し、アンテナ４００または係合部材３０１をレンチなどの修理用工具を用いて回して取り外す。
【００４７】
前記係合溝２１１は、前記回動支持部２００の両側面に対称状に形成されてもよく、この場合、前記工具との安定した結合が行われる。
【００４８】
図４は、本発明の他の実施形態に係るアンテナ用連結具１０及びこれを備えるアンテナ組立体１を示す分解斜視図である。
【００４９】
本発明の他の好適な実施形態に係るアンテナ用連結具１０は、携帯用端末ケースＣと、外部の信号を受信する受信部と連結されるブッシング１００と、前記ブッシング１００に摺動されつつ、携帯用端末の内部から／に引出し／引込みされる回動支持部２００と、前記回動支持部２００とアンテナ４００とを連結する連結手段６００と、を備え、前記連結手段６００を構成する係合部材６０１及び回動部材６０２を除いては、本発明の実施形態に係るアンテナ用連結具と同じ構造を有する。
【００５０】
すなわち、前記係合部材６０１の下端の外周面にネジ山が形成されてボルトの役割を果たし、前記回動部材６０２の上端の内周面にもネジ山が形成されてナットの役割を果たすことにより螺合されていてもよい。
【００５１】
また、ヒンジピン６０３は、前記回動部材６０２と回動支持部２００とを蝶合する。
【００５２】
本発明の他の好適な実施形態に係るアンテナ用連結具１０も、本発明の実施形態に係るアンテナ用連結具と同様に、前記係合部材６０１と回動部材６０２とがネジによって互いに着脱され、これにより、本発明に係るアンテナ組立体１における前記アンテナ４００が携帯用電子装置から取り外され易くなる。
【００５３】
以上述べたように、本発明の実施形態に係るアンテナ用連結具１０は単なる例示的なものに過ぎず、本発明が属する技術分野における通常の知識を持った者であれば、これより各種の変形及び均等な他の実施形態が可能であるということが理解できるであろう。よって、本発明は、上記の詳細な説明の欄において述べられる形態にのみ限定されるものではないということがよく理解できるであろう。このため、本発明の真の技術的な保護範囲は、特許請求の範囲における技術的思想によって定められるべきである。なお、本発明は、特許請求の範囲によって定義される本発明の精神とその範囲内にあるあらゆる変形物と均等物及び代替物を含むものと理解さるべきである。
【符号の説明】
【００５４】
１：アンテナ組立体、
１０：アンテナ用連結具、
１００：ブッシング、
１０１：係合部材、
１０２：係合孔、
２００：回動支持部、
２１１：係合溝、
３００、６００：連結手段、
３０１、６０１：係合部材、
３０２、６０２：回動部材、
３０３、６０３：ヒンジピン、
４００：アンテナ、
５００：工具、
Ｃ：ケース、
【図１】
0005147145.tif 000002
【図２】
0005147145.tif 000003
【図３】
0005147145.tif 000004
【図４】
0005147145.tif 000005